(57)【要約】所望の入力欄にフォーカスをあてるための新たな手段を提供することを課題とする。電子機器１０は、択一的にフォーカスをあてられる複数のフォーカス対象を含む入力画面をディスプレイに表示する表示部１１と、複数のフォーカス対象の中のいずれにフォーカスをあてるか決定するフォーカス位置決定部１２と、方向を示す方向情報の入力を受付ける入力受付部１３と、を有し、フォーカス位置決定部１２は、第１のフォーカス対象にフォーカスがあたっている状態で、入力受付部１３が方向情報の入力を受付けると、方向情報に基づいて、第１のフォーカス対象から他のフォーカス対象にフォーカス位置を変更する。
2015040861.tif 000002
【特許請求の範囲】
【請求項１】
択一的にフォーカスをあてられる複数のフォーカス対象を含む入力画面をディスプレイに表示する表示手段と、
複数の前記フォーカス対象の中のいずれにフォーカスをあてるか決定するフォーカス位置決定手段と、
方向を示す方向情報の入力を受付ける入力受付手段と、を有し、
前記フォーカス位置決定手段は、第１の前記フォーカス対象にフォーカスがあたっている状態で、前記入力受付手段が前記方向情報の入力を受付けると、前記方向情報に基づいて、前記第１のフォーカス対象から他の前記フォーカス対象にフォーカス位置を変更する電子機器。
【請求項２】
請求項１に記載の電子機器において、
前記フォーカス位置決定手段は、前記入力画面上において前記第１のフォーカス対象よりも前記方向情報で示される方向の先に位置する他の前記フォーカス対象に、フォーカス位置を変更する電子機器。
【請求項３】
請求項１又は２に記載の電子機器において、
前記入力受付手段は、前記方向情報に加えて、長さを示す長さ情報の入力を受付け、
前記フォーカス位置決定手段は、第１の前記フォーカス対象にフォーカスがあたっている状態で、前記入力受付手段が前記方向情報及び前記長さ情報の入力を受付けると、前記方向情報及び前記長さ情報に基づいて、前記第１のフォーカス対象から他の前記フォーカス対象にフォーカス位置を変更する電子機器。
【請求項４】
請求項３に記載の電子機器において、
前記フォーカス位置決定手段は、前記入力画面上において前記第１のフォーカス対象よりも前記方向情報で示される方向の先に位置する他の前記フォーカス対象の中の、前記第１のフォーカス対象からの距離が前記長さ情報で示される長さに近い前記他のフォーカス対象に、フォーカス位置を変更する電子機器。
【請求項５】
請求項１から４のいずれか１項に記載の電子機器において、
前記ディスプレイはタッチパネルディスプレイであり、
前記入力受付手段は、前記タッチパネルディスプレイの外周沿いの所定の一部エリア内でのタッチ操作により、前記方向情報の入力を受付ける電子機器。
【請求項６】
請求項３又は４に記載の電子機器において、
前記ディスプレイはタッチパネルディスプレイであり、
前記入力受付手段は、前記タッチパネルディスプレイの外周沿いの所定の一部エリア内でのタッチ操作により、前記方向情報及び前記長さ情報の入力を受付ける電子機器。
【請求項７】
請求項６に記載の電子機器において、
前記入力受付手段は、前記所定のエリア内でタッチ位置を第１の長さ分スライドさせる入力操作を受付けた場合、前記第１の長さを所定のルールに従い拡張した第２の長さを示す前記長さ情報として入力を受付ける電子機器。
【請求項８】
請求項７に記載の電子機器において、
前記入力受付手段は、前記所定のエリア内でのタッチ面積の大きさに応じて、前記第１の長さを拡張する程度を変更する電子機器。
【請求項９】
コンピュータが、
択一的にフォーカスをあてられる複数のフォーカス対象を含む入力画面をディスプレイに表示し、
第１の前記フォーカス対象にフォーカスがあたっている状態で、方向を示す方向情報の入力を受付けると、前記方向情報に基づいて、前記第１のフォーカス対象から他の前記フォーカス対象にフォーカス位置を変更することにより、複数の前記フォーカス対象の中のいずれにフォーカスをあてるか決定する
電子機器の制御方法。
【請求項１０】
コンピュータに、
択一的にフォーカスをあてられる複数のフォーカス対象を含む入力画面をディスプレイに表示する処理と、
第１の前記フォーカス対象にフォーカスがあたっている状態で、方向を示す方向情報の入力を受付けると、入力された前記方向情報に基づいて、前記第１のフォーカス対象から他の前記フォーカス対象にフォーカス位置を変更することにより、複数の前記フォーカス対象の中のいずれにフォーカスをあてるか決定する処理と、を実行させるプログラムを記録した
コンピュータ読み取り可能な記憶媒体。
【発明の詳細な説明】
【技術分野】
【０００１】
本発明は、電子機器、電子機器の制御方法及び記憶媒体に関する。
【背景技術】
【０００２】
複数の入力欄（テキストフィールド等）を備えた入力画面に対して入力操作を行う場合、ユーザは、所望の入力欄にフォーカスをあてる操作を行う。その後、ユーザは、そのフォーカスがあたっている入力欄に対して入力操作を行うこととなる。【０００３】
所望の入力欄にフォーカスをあてる操作としては、以下のような方法等が広く知られている。即ち、入力欄にフォーカスをあてる操作として、キーボードのＴＡＢキーを利用してフォーカスを所望の入力欄まで移動させる手段（特許文献１参照）がある。また、入力欄にフォーカスをあてる操作として、所望の入力欄にカーソル位置を合わせてマウスをクリック（左クリック等）する手段がある。また、入力欄にフォーカスをあてる操作として、操作端末がタッチパネルを備えている場合は、所望の入力欄をタッチする手段がある。
【先行技術文献】
【特許文献】
【０００４】
【特許文献１】特開２００９−２８２９６１号公報
【発明の概要】
【発明が解決しようとする課題】
【０００５】
本発明は、所望の入力欄にフォーカスをあてるための新たな手段を提供することを主たる課題とする。
【課題を解決するための手段】
【０００６】
本発明によれば、
択一的にフォーカスをあてられる複数のフォーカス対象を含む入力画面をディスプレイに表示する表示手段と、
複数の上記フォーカス対象の中のいずれにフォーカスをあてるか決定するフォーカス位置決定手段と、
方向を示す方向情報の入力を受付ける入力受付手段と、を有し、
上記フォーカス位置決定手段は、第１の上記フォーカス対象にフォーカスがあたっている状態で、上記入力受付手段が上記方向情報の入力を受付けると、上記方向情報に基づいて、上記第１のフォーカス対象から他の上記フォーカス対象にフォーカス位置を変更する電子機器が提供される。【０００７】
また、本発明によれば、
コンピュータが、
択一的にフォーカスをあてられる複数のフォーカス対象を含む入力画面をディスプレイに表示し、
第１の上記フォーカス対象にフォーカスがあたっている状態で、方向を示す方向情報の入力を受付けると、上記方向情報に基づいて、上記第１のフォーカス対象から他の上記フォーカス対象にフォーカス位置を変更することにより、複数の上記フォーカス対象の中のいずれにフォーカスをあてるか決定する電子機器の制御方法が提供される。【０００８】
また、本発明によれば、
コンピュータに、
択一的にフォーカスをあてられる複数のフォーカス対象を含む入力画面をディスプレイに表示する処理と、
第１の上記フォーカス対象にフォーカスがあたっている状態で、方向を示す方向情報の入力を受付けると、入力された上記方向情報に基づいて、上記第１のフォーカス対象から他の上記フォーカス対象にフォーカス位置を変更することにより、複数の上記フォーカス対象の中のいずれにフォーカスをあてるか決定する処理と、を実行させるプログラムを記録したコンピュータ読み取り可能な記憶媒体が提供される。
【発明の効果】
【０００９】
本発明によれば、所望の入力欄にフォーカスをあてるための新たな手段が実現される。
【図面の簡単な説明】
【００１０】
【図１】本発明の本実施形態における、電子機器のハードウエア構成の一例を概念的に示す図である。
【図２】本発明の本実施形態における、電子機器の機能ブロック図の一例を示す図である。
【図３】本発明の本実施形態における、表示部が表示する入力画面の一例を示す図である。
【図４】本発明の本実施形態における、表示部が表示する入力画面の一例を示す図である。
【図５】本発明の本実施形態における、入力受付部が利用することができる情報の一例を示す図である。
【図６】本発明の本実施形態における、表示部が表示する入力画面の一例を示す図である。
【図７】本発明の本実施形態における、表示部が表示する入力画面の一例を示す図である。
【発明を実施するための形態】
【００１１】
まず、本実施形態の電子機器のハードウエア構成の一例について説明する。
【００１２】
本実施形態の電子機器は、可搬型の装置であってもよいし、据置型の装置であってもよい。本実施形態の電子機器が備える各部は、任意のコンピュータのＣＰＵ（Central Processing Unit）、メモリ、メモリにロードされたプログラム、そのプログラムを格納するハードディスク等の記憶ユニット、ネットワーク接続用インタフェイスを中心にハードウエアとソフトウエアの任意の組合せによって実現される。なお、上記プログラムは、あらかじめ装置を出荷する段階からメモリ内に格納されているプログラムのほか、ＣＤ（Compact Disc）等の記憶媒体やインターネットに接続されたサーバ等からダウンロードされたプログラムも含む。そして、その実現方法、装置にはいろいろな変形例があることは、当業者には理解されるところである。
【００１３】
図１は、本実施形態の電子機器のハードウエア構成の一例を概念的に示す図である。図示するように、本実施形態の装置は、例えば、バス８Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ等を有する。なお、図示しないが、その他、外部機器と有線で接続される入出力Ｉ／Ｆ（Ｉｎｔｅｒｆａｃｅ）、外部機器と有線及び／又は無線で通信するための通信部、マイク、スピーカ、カメラ、補助記憶装置等の他の要素を備えてもよい。
【００１４】
ＣＰＵ１Ａは各要素とともに電子機器のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。
【００１５】
ディスプレイ５Ａは、表示装置（ＬＥＤ（Light Emitting Diode）表示器、液晶ディスプレイ、有機ＥＬ（Electro Luminescence）ディスプレイ等）を備える。なお、ディスプレイ５Ａは、タッチパッドと一体になったタッチパネルディスプレイであってもよい。表示制御部４Ａは、ＶＲＡＭ（Video RAM）に記憶されたデータを読み出す。表示制御部４Ａは、その読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイなどを含む。
【００１６】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、本実施の形態の構成は、物理的に分かれた構成であっても、論理的に分かれた構成であってもよい。
＜第１の実施形態＞
図２に、電子機器１０の機能ブロック図の一例を示す。図示するように、電子機器１０は、表示部１１と、フォーカス位置決定部１２と、入力受付部１３とを有する。以下、各部について説明する。
【００１７】
表示部１１は、択一的にフォーカスをあてられる複数のフォーカス対象を含む入力画面をディスプレイに表示する。フォーカス対象は、例えば、テキストフィールド、ドロップダウンメニューなどのＧＵＩ(Graphical User Interface)部品で構成された入力欄である。
【００１８】
なお、本実施形態のディスプレイはタッチパネルディスプレイである。タッチパネルディスプレイはいずれのタイプであってもよく、抵抗膜方式、表面弾性波方式、赤外線方式、電磁誘導方式、静電容量方式などあらゆるタイプを採用することができる。
【００１９】
図３に、表示部１１がタッチパネルディスプレイ２０に入力画面を表示している一例を示す。当該入力画面は、複数の入力欄２１乃至２４を有する。
【００２０】
表示部１１は、例えば、電子機器１０内にインストールされた所定のアプリケーションにより作成された入力画面をディスプレイに表示する。または、表示部１１は、電子機器１０内にインストールされた所定のアプリケーションにより、インターネット等のネットワークを介して外部機器から取得された入力画面をディスプレイに表示する。
【００２１】
図２に戻り、入力受付部１３は、方向を示す方向情報の入力を受付ける。例えば、入力受付部１３は、タッチ位置を所定の方向にスライドさせるタッチ操作（例：スワイプ操作、フリック操作）により、方向情報の入力を受付ける。入力受付部１３は、タッチ位置を所定の方向にスライドさせるタッチ操作を検知すると、当該方向を認識する。そして、入力受付部１３は、その認識した方向を示す方向情報を作成する。この方向情報に基づいて、フォーカス位置が変更される事になる。なお、スワイプ操作やフリック操作により、入力画面をスライドしてタッチパネルディスプレイ２０に表示する部分を変更させるように構成された入力画面がある。かかる場合、入力画面をスライドさせるためのタッチ操作と方向情報の入力操作とを区別するため、入力受付部１３は、例えば、以下のような操作により、方向情報の入力を受付けてもよい。即ち、入力受付部１３は、例えば、タッチパネルディスプレイ２０上の任意の位置をタッチ・ホールドした状態のまま、他の位置をタッチして所定の方向にスライドさせるタッチ操作により、方向情報の入力を受付けてもよい。この場合、入力受付部１３は、他の位置をタッチして所定の方向にスライドさせた操作のスライド方向を認識し、認識した方向を示す方向情報を作成する。
【００２２】
方向情報は、例えば、０度から３６０度で方向を示すものであってもよい。この場合、予め定められた所定の方向が０度となる。その他、方向情報は、「上、右上、右、右下、下、左下、左、左上」等のあらかじめ定められた所定数の方向のいずれかを示すものであってもよい。この場合、入力受付部１３は、タッチ操作から方向を認識すると、あらかじめ定められた所定数の方向の中から認識した方向に最も近い１つを選択する。そして、入力受付部１３は、選択した方向を示す方向情報を作成する。
【００２３】
フォーカス位置決定部１２は、複数のフォーカス対象の中のいずれにフォーカスをあてるか決定する。具体的には、フォーカス位置決定部１２は、ユーザによる入力操作に基づいて、フォーカスをあてるフォーカス対象を決定する。例えば、ユーザが図３に示す入力画面における入力欄２１をタッチするタッチ操作を行ったとする。すると、フォーカス位置決定部１２は、入力欄２１にフォーカスをあてると決定する。その結果、表示部１１は、図３に示すように、入力欄２１にフォーカスがあたった状態の入力画面を表示する。
【００２４】
なお、フォーカス位置決定部１２は、第１のフォーカス対象にフォーカスがあたっている状態において、入力受付部１３が方向情報の入力を受付けた場合、当該方向情報に基づいて、第１のフォーカス対象から他のフォーカス対象にフォーカス位置を変更する。そして、表示部１１は、フォーカス位置決定部１２が決定した変更後のフォーカス位置にフォーカスがあたった状態の入力画面を表示する。
【００２５】
例えば、フォーカス位置決定部１２は、入力画面上において第１のフォーカス対象よりも方向情報で示される方向の先に位置する他のフォーカス対象に、フォーカス位置を変更する。一例として、フォーカス位置決定部１２は、例えば、フォーカスがあたっている第１のフォーカス対象を方向情報で示される方向に移動させたときに、第１のフォーカス対象と交わる（重なる）位置に存在するフォーカス対象に、フォーカス位置を変更してもよい。その他、フォーカス位置決定部１２は、例えば、フォーカスがあたっている第１のフォーカス対象が占有する領域の中の代表点（中心点、左上端の点等））を方向情報で示される方向に移動させたときに、代表点と交わる（重なる）位置に存在するフォーカス対象に、フォーカス位置を変更してもよい。
【００２６】
ここで、図３を用いて一例を説明する。例えば、図３に示すように入力欄２１にフォーカスがあたっている状態で、ユーザが下方向にタッチ位置をスライドさせるタッチ操作を行ったとする。すると、入力受付部１３は、当該方向を示す方向情報を作成し、フォーカス位置決定部１２に渡す。フォーカス位置決定部１２は、取得した方向情報に基づいて、フォーカス位置を決定する。例えば、フォーカス位置決定部１２は、フォーカスがあたっている入力欄２１を方向情報で示される下方向に移動させたときに、入力欄２１と交わる（重なる）位置に存在する入力欄に、フォーカス位置を変更する。当該例の場合、入力欄２２乃至２４が、フォーカス位置を移動させる先の候補となる。
【００２７】
当該例のように候補となる入力欄が複数ある場合、例えば、フォーカス位置決定部１２は、現在のフォーカス位置からもっとも近くに位置する入力欄にフォーカスをあててもよい。そして、最も近くに位置する入力欄が複数ある場合、例えば、フォーカス位置決定部１２は、入力画面上において最も左側に位置する入力欄にフォーカスをあててもよい。当該前提に基づけば、図３に示すように入力欄２１にフォーカスがあたっている状態で、ユーザが下方向にタッチ位置をスライドさせるタッチ操作を行うと、フォーカス位置は、入力欄２２に移動する。そして、当該状態でユーザが下方向にタッチ位置をスライドさせるタッチ操作を行うと、フォーカス位置は入力欄２４に移動する。一方、入力欄２２にフォーカスがあたっている状態で、ユーザが右方向にタッチ位置をスライドさせるタッチ操作を行うと、フォーカス位置は入力欄２３に移動する。また、入力欄２２にフォーカスがあたっている状態で、ユーザが上方向にタッチ位置をスライドさせるタッチ操作を行うと、フォーカス位置は入力欄２１に移動する。
【００２８】
以上説明した本実施形態によれば、所望の入力欄にフォーカスをあてるための新たな手段が実現される。具体的には、本実施形態における電子機器１０は、ユーザから受付けた方向情報に基づいて、フォーカス位置を決定・変更することができる。あるフォーカス対象にあたっているフォーカス位置は、当該フォーカス対象よりも方向情報で示される方向の先に位置する他のフォーカス対象に移動する。このため、ユーザは、操作と、その操作による結果（フォーカス位置の変更）とを直感的に容易に把握することができる。結果、ユーザの操作性が向上し、ユーザの入力作業の効率向上が期待される。
＜第２の実施形態＞
本実施形態の電子機器は、第１の実施形態の構成を基本とし、ユーザから方向情報に加えて、長さ情報の入力を受付け、これらの情報を利用してフォーカス位置を決定する点において、第１の実施形態と異なる。本実施形態の電子機器１０の機能ブロック図の一例は、第１の実施形態同様、図２により示される。
【００２９】
入力受付部１３は、方向情報に加えて、長さを示す長さ情報の入力を受付ける。例えば、入力受付部１３は、タッチ位置を所定の方向にスライドさせるタッチ操作（例：スワイプ操作、フリック操作）により、方向情報と長さ情報の入力を受付ける。入力受付部１３は、タッチ位置を所定の方向にスライドさせるタッチ操作を検知すると、当該方向を認識する。そして、入力受付部１３は、その認識した方向を示す方向情報を作成する。また、入力受付部１３は、タッチパネルディスプレイ２０においてタッチ位置がスライド（移動）した距離（スライド距離）を認識する。そして、入力受付部１３は、その認識した距離を示す長さ情報を作成する。
【００３０】
フォーカス位置決定部１２は、第１のフォーカス対象にフォーカスがあたっている状態で、入力受付部１３が方向情報及び長さ情報の入力を受付ける。この場合、フォーカス位置決定部１２は、その受け付けた方向情報及び長さ情報に基づいて、第１のフォーカス対象から他のフォーカス対象にフォーカス位置を変更する。
【００３１】
例えば、フォーカス位置決定部１２は、入力画面上において第１のフォーカス対象よりも方向情報で示される方向の先に位置する他のフォーカス対象にフォーカス位置を変更する。そして、第１のフォーカス対象よりも方向情報で示される方向の先に位置する他のフォーカス対象が複数ある場合には、フォーカス位置決定部１２は、第１のフォーカス対象からの距離が長さ情報で示される長さに近いフォーカス対象に、フォーカス位置を変更する。
【００３２】
フォーカス対象間の距離は、例えば、フォーカス対象が占有する領域の中の代表点（中心点、左上端の点等）間の距離とすることができる。なお、フォーカス対象間の距離は、入力画面の拡大縮小表示の倍率により変更する。フォーカス位置決定部１２は、入力受付部１３が長さ情報の入力を受付けた時点における倍率に基づいて、フォーカス対象間の距離を算出することができる。
【００３３】
例えば、図３に示すように入力欄２１にフォーカスがあたっている状態で、ユーザが、タッチ位置を入力欄２１付近から入力欄２４付近まで下方向にスライドさせるタッチ操作を行ったとする。すると、入力受付部１３は当該方向を示す方向情報、および、当該スライド距離を示す長さ情報を作成し、フォーカス位置決定部１２に渡す。フォーカス位置決定部１２は、取得した方向情報及び長さ情報に基づいて、フォーカス位置を決定する。当該例の場合、フォーカス位置決定部１２は、入力欄２１よりも下方向に位置する入力欄２２乃至２４の中のうち、入力欄２１からの距離が長さ情報で示される長さに最も近い入力欄２４にフォーカス位置を移動させる。
【００３４】
以上説明した本実施形態によれば、第１の実施形態と同様の作用効果を実現することができる。また、ユーザが入力可能な長さ情報をも利用してフォーカス位置を変更できるので、ユーザは、より容易に、フォーカス位置を所望のフォーカス対象に移動させることが可能となる。結果、ユーザの操作性が向上し、ユーザの入力作業の効率向上が期待される。
＜第３の実施形態＞
本実施形態の電子機器は、第１及び第２の実施形態の構成を基本とする。本実施形態の電子機器は、タッチパネルディスプレイ２０の外周沿いの所定の一部エリア内でのタッチ操作により、方向情報及び長さ情報の少なくとも一方を受付ける点で、第１及び第２の実施形態と異なる。本実施形態の電子機器が受付けた方向情報及び長さ情報を利用してフォーカス位置を決定・変更する処理は、第１及び第２の実施形態と同様である。本実施形態の電子機器１０の機能ブロック図の一例は、第１及び第２の実施形態同様、図２で示される。
【００３５】
図４を用いて一例を説明する。図４に示すように、表示部１１は、入力画面に重ねて、タッチ領域３１を表示することができる。タッチ領域３１は、タッチパネルディスプレイ２０の外周沿いに表示される。タッチ領域３１の大きさは、人間の親指が収まり、かつ、親指を多少スライドできる程度とすることができる。なお、タッチ領域３１の大きさは、手袋や軍手などで覆われた人間の親指が収まり、かつ、当該親指を多少スライドできる程度としてもよい。タッチ領域３１の画像の作成及び表示は、入力画面を作成したアプリケーションによりなされてもよく、その他のアプリケーションによりなされてもよく、ミドルウエアやオペレーティングシステムによりなされてもよい。
【００３６】
ユーザは、タッチ領域３１内で、フォーカス位置を変更するための方向情報及び長さ情報の少なくとも一方を入力する操作を行う。例えば、ユーザは、左手で電子機器１０の下方側を保持した状態で、左手の親指をタッチ領域３１に当ててタッチ操作を行うことができる。この場合、ユーザは、左手でフォーカス位置を変更する操作を行いながら、右手で、フォーカスがあたっている入力欄に対して入力操作を行うことができる。なお、本実施形態における電子機器は、タッチ領域３１で、フォーカス位置を変更する操作以外の操作を受付けてもよい。例えば、タッチ領域３１をタップまたはダブルタップする操作により、その時点でフォーカスがあたっている入力欄をタップまたはダブルタップする操作が受付けられてもよい。
【００３７】
なお、入力受付部１３は、タッチ領域３１内でタッチ位置を第１の長さ分スライドさせる入力操作を受付けた場合、当該第１の長さを所定のルールに従い拡張した第２の長さを示す長さ情報として入力を受付ける。入力受付部１３は、タッチ領域３１内でタッチ位置を第１の長さ分スライドさせる入力操作を、上記第２の長さを示す長さ情報の入力として扱ってもよい。係る所定のルールは、特段制限されないが、例えば、第１の長さをＭ倍（Ｍは１より大きい実数）するものであってもよい。このようにすれば、狭いタッチ領域３１内で、入力画面に表示されている複数の入力欄間のあらゆる距離に対応する長さ情報の入力を行うことが可能となる。また、電子機器１０を保持している手の親指という、移動距離が制限されている指により、入力画面に表示されている複数の入力欄間のあらゆる距離に対応する長さ情報の入力を行うことが可能となる。
【００３８】
入力受付部１３は、さらに、タッチ領域３１内でのタッチ面積の大きさに応じて、第１の長さを拡張する程度を変更してもよい。例えば、入力受付部１３は、図５に示すような情報を保持してもよい。そして、入力受付部１３は、当該図５に示す情報と、タッチ領域３１内でタッチされたと検知された領域の面積（接触面積）とに応じて、第１の長さを拡張する程度を決定してもよい。図５に示す情報は、接触面積に、第１の長さを拡張する倍率が示されている。なお、係る接触面積は、例えば、ユーザの指等がタッチ領域３１に接触する面積であってもよい。指の大きさはユーザによって異なる。また、ユーザが手袋や軍手を装着している場合、係る接触面積は比較的大きくなる可能性がある。
【００３９】
接触面積が小さい場合、タッチ領域３１内でのタッチ位置の移動（指の移動）の自由度が大きい。この場合、ユーザは、長さ情報として比較的大きい値の入力が可能である。これに対し、接触面積が大きい場合、タッチ領域３１内でのタッチ位置の移動（指の移動）の自由度が小さい。この場合、ユーザは、長さ情報として比較的大きい値の入力が困難な場合がある。そこで、本実施形態では、入力受付部１３は、接触面積が小さい場合に比べて、接触面積が大きい場合の拡張率を大きくする。
【００４０】
なお、タッチ領域３１は、常にタッチパネルディスプレイ２０に表示するのでなく、ユーザ操作に応じて呼び出されるようにしてもよい。例えば、図４に示すようにタッチ領域３１が表示されている状態で、タッチ領域３１を隠すユーザ操作（例：タッチ領域呼出部品３０の操作対象３２を左方向にドラッグする操作）を受付けると、表示部１１は、図６に示すようにタッチ領域３１を隠してもよい。これにより、入力画面の視認性がよくなる。そして、図６に示すようにタッチ領域３１が隠れている状態で、タッチ領域３１を呼び出すユーザ操作（例：タッチ領域呼出部品３０の操作対象３２を右方向にドラッグする操作）を受付けると、表示部１１は、図４に示すようにタッチ領域３１を表示してもよい。
【００４１】
図４及び６に示すタッチ領域呼出部品３０及びタッチ領域３１の表示位置は、あくまで一例である。表示部１１は、タッチ領域呼出部品３０及びタッチ領域３１を、タッチパネルディスプレイ２０の外周沿いのあらゆる位置に表示することができる。例えば、表示部１１は、ユーザ操作（例：ドラッグ操作）により表示位置を変更できるよう構成してもよい。
【００４２】
以上説明した本実施形態によれば、第１及び第２の実施形態と同様の作用効果を実現することができる。
【００４３】
また、本実施形態における電子機器１０は、タッチパネルディスプレイ２０の外周沿いに表示されたタッチ領域３１に対するタッチ操作により、方向情報及び長さ情報の少なくとも一方を受付けることができる。かかる場合、ユーザは、タッチパネルディスプレイ２０を保持している手でフォーカス位置を変更する操作を行いながら、他の手でフォーカスがあたっている入力欄に対する入力操作を行うという、効率的な操作を行うことができる。結果、ユーザの操作性が向上し、ユーザの入力作業の効率向上が期待される。
＜第４の実施形態＞
本実施形態の電子機器は、第１乃至第３の実施形態の構成を基本とする。本実施形態の電子機器１０は、ディスプレイがタッチパネルディスプレイでなく、キーボードやマウスを介してユーザ入力を受付ける点で、第１乃至第３の実施形態と異なる。本実施形態の電子機器１０の機能ブロック図の一例は、第１乃至第３の実施形態同様、図２で示される。
【００４４】
表示部１１は、択一的にフォーカスをあてられる複数のフォーカス対象を含む入力画面をディスプレイに表示する。図７に、表示部１１がディスプレイ４０に入力画面を表示する一例を示す。当該入力画面は、複数の入力欄４１乃至４５を有する。また、表示部１１は、入力画面に重ねて、カーソル４６を表示する。
【００４５】
入力受付部１３は、マウスやキーボードを介して、方向情報及び長さ情報の少なくとも一方の入力を受付ける。例えば、入力受付部１３は、カーソル４６を移動させる操作により、方向情報及び長さ情報の少なくとも一方の入力を受付けてもよい。この場合、カーソル４６が移動した方向を示す方向情報や、カーソル４６が移動した距離を示す長さ情報が作成される。なお、その他の例として、入力受付部１３は、所定の操作（例：マウスの左クリック、キーボードの所定のボタンの押下）を維持したままカーソル４６を移動させる操作により、方向情報及び長さ情報の少なくとも一方の入力を受付けてもよい。この場合、所定の操作を維持したままカーソル４６が移動した方向を示す方向情報や、カーソル４６が移動した距離を示す長さ情報が作成される。
【００４６】
フォーカス位置決定部１２の構成は、第１及び第３の実施形態と同様である。
【００４７】
以上説明した本実施形態によれば、第１及び第３の実施形態と同様の作用効果を実現することができる。
【００４８】
以下、参考形態の例を付記する。上述した実施形態及びその変形例の一部又は全部は、以下の付記のようにも記載されうる。しかしながら、上述した実施形態及びその変形例により例示的に説明した本発明は、以下には限られない。
【００４９】
１．  択一的にフォーカスをあてられる複数のフォーカス対象を含む入力画面をディスプレイに表示する表示手段と、
複数の前記フォーカス対象の中のいずれにフォーカスをあてるか決定するフォーカス位置決定手段と、
方向を示す方向情報の入力を受付ける入力受付手段と、を有し、
前記フォーカス位置決定手段は、第１の前記フォーカス対象にフォーカスがあたっている状態で、前記入力受付手段が前記方向情報の入力を受付けると、前記方向情報に基づいて、前記第１のフォーカス対象から他の前記フォーカス対象にフォーカス位置を変更する電子機器。
２．  １に記載の電子機器において、
前記フォーカス位置決定手段は、前記入力画面上において前記第１のフォーカス対象よりも前記方向情報で示される方向の先に位置する他の前記フォーカス対象に、フォーカス位置を変更する電子機器。
３．  １又は２に記載の電子機器において、
前記入力受付手段は、前記方向情報に加えて、長さを示す長さ情報の入力を受付け、
前記フォーカス位置決定手段は、第１の前記フォーカス対象にフォーカスがあたっている状態で、前記入力受付手段が前記方向情報及び前記長さ情報の入力を受付けると、前記方向情報及び前記長さ情報に基づいて、前記第１のフォーカス対象から他の前記フォーカス対象にフォーカス位置を変更する電子機器。
４．  ３に記載の電子機器において、
前記フォーカス位置決定手段は、前記入力画面上において前記第１のフォーカス対象よりも前記方向情報で示される方向の先に位置する他の前記フォーカス対象の中の、前記第１のフォーカス対象からの距離が前記長さ情報で示される長さに近い前記他のフォーカス対象に、フォーカス位置を変更する電子機器。
５．  １から４のいずれかに記載の電子機器において、
前記ディスプレイはタッチパネルディスプレイであり、
前記入力受付手段は、前記タッチパネルディスプレイの外周沿いの所定の一部エリア内でのタッチ操作により、前記方向情報の入力を受付ける電子機器。
６．  ３又は４に記載の電子機器において、
前記ディスプレイはタッチパネルディスプレイであり、
前記入力受付手段は、前記タッチパネルディスプレイの外周沿いの所定の一部エリア内でのタッチ操作により、前記方向情報及び前記長さ情報の入力を受付ける電子機器。
７．  ６に記載の電子機器において、
前記入力受付手段は、前記所定のエリア内でタッチ位置を第１の長さ分スライドさせる入力操作を受付けた場合、前記第１の長さを所定のルールに従い拡張した第２の長さを示す前記長さ情報として入力を受付ける電子機器。
８．  ７に記載の電子機器において、
前記入力受付手段は、前記所定のエリア内でのタッチ面積の大きさに応じて、前記第１の長さを拡張する程度を変更する電子機器。
９．  コンピュータが、
択一的にフォーカスをあてられる複数のフォーカス対象を含む入力画面をディスプレイに表示する表示工程と、
複数の前記フォーカス対象の中のいずれにフォーカスをあてるか決定するフォーカス位置決定工程と、
方向を示す方向情報の入力を受付ける入力受付工程と、を実行し、
前記フォーカス位置決定工程では、第１の前記フォーカス対象にフォーカスがあたっている状態で、前記入力受付工程において前記方向情報の入力を受付けると、前記方向情報に基づいて、前記第１のフォーカス対象から他の前記フォーカス対象にフォーカス位置を変更する電子機器の制御方法。
９−２．  ９に記載の電子機器の制御方法において、
前記フォーカス位置決定工程では、前記入力画面上において前記第１のフォーカス対象よりも前記方向情報で示される方向の先に位置する他の前記フォーカス対象に、フォーカス位置を変更する電子機器の制御方法。
９−３．  ９又は９−２に記載の電子機器の制御方法において、
前記入力受付工程では、前記方向情報に加えて、長さを示す長さ情報の入力を受付け、
前記フォーカス位置決定工程では、第１の前記フォーカス対象にフォーカスがあたっている状態で、前記入力受付工程において前記方向情報及び前記長さ情報の入力を受付けると、前記方向情報及び前記長さ情報に基づいて、前記第１のフォーカス対象から他の前記フォーカス対象にフォーカス位置を変更する電子機器の制御方法。
９−４．  ９−３に記載の電子機器の制御方法において、
前記フォーカス位置決定工程では、前記入力画面上において前記第１のフォーカス対象よりも前記方向情報で示される方向の先に位置する他の前記フォーカス対象の中の、前記第１のフォーカス対象からの距離が前記長さ情報で示される長さに近い前記他のフォーカス対象に、フォーカス位置を変更する電子機器の制御方法。
９−５．  ９から９−４のいずれかに記載の電子機器において、
前記ディスプレイはタッチパネルディスプレイであり、
前記入力受付工程では、前記タッチパネルディスプレイの外周沿いの所定の一部エリア内でのタッチ操作により、前記方向情報の入力を受付ける電子機器の制御方法。
９−６．  ９−３又は９−４に記載の電子機器の制御方法において、
前記ディスプレイはタッチパネルディスプレイであり、
前記入力受付工程では、前記タッチパネルディスプレイの外周沿いの所定の一部エリア内でのタッチ操作により、前記方向情報及び前記長さ情報の入力を受付ける電子機器の制御方法。
９−７．  ９−６に記載の電子機器の制御方法において、
前記入力受付工程では、前記所定のエリア内でタッチ位置を第１の長さ分スライドさせる入力操作を受付けた場合、前記第１の長さを所定のルールに従い拡張した第２の長さを示す前記長さ情報として入力を受付ける電子機器の制御方法。
９−８．  ９−７に記載の電子機器の制御方法において、
前記入力受付工程では、前記所定のエリア内でのタッチ面積の大きさに応じて、前記第１の長さを拡張する程度を変更する電子機器の制御方法。
１０．  コンピュータを、
択一的にフォーカスをあてられる複数のフォーカス対象を含む入力画面をディスプレイに表示する表示手段、
複数の前記フォーカス対象の中のいずれにフォーカスをあてるか決定するフォーカス位置決定手段、
方向を示す方向情報の入力を受付ける入力受付手段、として機能させ、
前記フォーカス位置決定手段に、第１の前記フォーカス対象にフォーカスがあたっている状態で、前記入力受付手段が前記方向情報の入力を受付けると、前記方向情報に基づいて、前記第１のフォーカス対象から他の前記フォーカス対象にフォーカス位置を変更させるプログラム。
１０−２．  １０に記載のプログラムにおいて、
前記フォーカス位置決定手段に、前記入力画面上において前記第１のフォーカス対象よりも前記方向情報で示される方向の先に位置する他の前記フォーカス対象に、フォーカス位置を変更させるプログラム。
１０−３．  １０又は１０−２に記載のプログラムにおいて、
前記入力受付手段に、前記方向情報に加えて、長さを示す長さ情報の入力を受付けさせ、
前記フォーカス位置決定手段に、第１の前記フォーカス対象にフォーカスがあたっている状態で、前記入力受付手段が前記方向情報及び前記長さ情報の入力を受付けると、前記方向情報及び前記長さ情報に基づいて、前記第１のフォーカス対象から他の前記フォーカス対象にフォーカス位置を変更させるプログラム。
１０−４．  １０−３に記載のプログラムにおいて、
前記フォーカス位置決定手段に、前記入力画面上において前記第１のフォーカス対象よりも前記方向情報で示される方向の先に位置する他の前記フォーカス対象の中の、前記第１のフォーカス対象からの距離が前記長さ情報で示される長さに近い前記他のフォーカス対象に、フォーカス位置を変更させるプログラム。
１０−５．  １０から１０−４のいずれかに記載のプログラムにおいて、
前記ディスプレイはタッチパネルディスプレイであり、
前記入力受付手段に、前記タッチパネルディスプレイの外周沿いの所定の一部エリア内でのタッチ操作により、前記方向情報の入力を受付けさせるプログラム。
１０−６．  １０−３又は１０−４に記載のプログラムにおいて、
前記ディスプレイはタッチパネルディスプレイであり、
前記入力受付手段に、前記タッチパネルディスプレイの外周沿いの所定の一部エリア内でのタッチ操作により、前記方向情報及び前記長さ情報の入力を受付けさせるプログラム。
１０−７．  １０−６に記載のプログラムにおいて、
前記入力受付手段に、前記所定のエリア内でタッチ位置を第１の長さ分スライドさせる入力操作を受付けた場合、前記第１の長さを所定のルールに従い拡張した第２の長さを示す前記長さ情報として入力を受付けさせるプログラム。
１０−８．  １０−７に記載のプログラムにおいて、
前記入力受付手段に、前記所定のエリア内でのタッチ面積の大きさに応じて、前記第１の長さを拡張する程度を変更させるプログラム。
【００５０】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【００５１】
この出願は、２０１３年９月２０日に出願された日本出願特願２０１３−１９４９９６を基礎とする優先権を主張し、その開示の全てをここに取り込む。
【符号の説明】
【００５２】
１Ａ    ＣＰＵ
２Ａ    ＲＡＭ
３Ａ    ＲＯＭ
４Ａ    表示制御部
５Ａ    ディスプレイ
６Ａ    操作受付部
７Ａ    操作部
８Ａ    バス
１０    電子機器
１１    表示部
１２    フォーカス位置決定部
１３    入力受付部
２０    タッチパネルディスプレイ
２１    入力欄
２２    入力欄
２３    入力欄
２４    入力欄
３０    タッチ領域呼出部品
３１    タッチ領域
３２    操作対象
４０    ディスプレイ
４１    入力項目
４２    入力項目
４３    入力項目
４４    入力項目
４５    入力項目
４６    カーソル
【図１】
2015040861.tif 000003
【図２】
2015040861.tif 000004
【図３】
2015040861.tif 000005
【図４】
2015040861.tif 000006
【図５】
2015040861.tif 000007
【図６】
2015040861.tif 000008
【図７】
2015040861.tif 000009
【手続補正書】
【提出日】平成28年2月22日(2016.2.22)
【手続補正２】
【補正対象書類名】明細書
【補正対象項目名】０００１
【補正方法】変更
【補正の内容】
【０００１】
本発明は、電子機器、電子機器の制御方法及びプログラムに関する。
【手続補正３】
【補正対象書類名】明細書
【補正対象項目名】０００８
【補正方法】変更
【補正の内容】
【０００８】
また、本発明によれば、コンピュータを、択一的にフォーカスをあてられる複数のフォーカス対象を含む入力画面をディスプレイに表示する表示手段、複数の前記フォーカス対象の中のいずれにフォーカスをあてるか決定するフォーカス位置決定手段、方向を示す方向情報の入力を受付ける入力受付手段、として機能させ、前記フォーカス位置決定手段に、第１の前記フォーカス対象にフォーカスがあたっている状態で、前記入力受付手段が前記方向情報の入力を受付けると、前記方向情報に基づいて、前記第１のフォーカス対象から他の前記フォーカス対象にフォーカス位置を変更させるプログラムが提供される。
【手続補正４】
【補正対象書類名】特許請求の範囲
【補正対象項目名】請求項１０
【補正方法】変更
【補正の内容】
【請求項１０】
コンピュータを、
択一的にフォーカスをあてられる複数のフォーカス対象を含む入力画面をディスプレイに表示する表示手段、
複数の前記フォーカス対象の中のいずれにフォーカスをあてるか決定するフォーカス位置決定手段、
方向を示す方向情報の入力を受付ける入力受付手段、
として機能させ、
前記フォーカス位置決定手段に、第１の前記フォーカス対象にフォーカスがあたっている状態で、前記入力受付手段が前記方向情報の入力を受付けると、前記方向情報に基づいて、前記第１のフォーカス対象から他の前記フォーカス対象にフォーカス位置を変更させるプログラム。
【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
択一的にフォーカスをあてられる複数のフォーカス対象を含む入力画面をディスプレイに表示する表示手段と、
複数の前記フォーカス対象の中のいずれにフォーカスをあてるか決定するフォーカス位置決定手段と、
前記入力画面における操作の方向を示す方向情報と、前記入力画面における操作の長さを示す長さ情報との入力を受付ける入力受付手段と、を有し、
前記フォーカス位置決定手段は、第１の前記フォーカス対象にフォーカスがあたっている状態で、前記入力受付手段が前記方向情報及び前記長さ情報の入力を受付けると、前記方向情報及び前記長さ情報に基づいて、前記入力画面上において前記第１のフォーカス対象よりも前記方向情報で示される方向の先に位置する他の前記フォーカス対象の中の、前記第１のフォーカス対象からの距離が前記長さ情報で示される長さに最も近い他の前記フォーカス対象にフォーカス位置を変更する電子機器。
【請求項２】
請求項１に記載の電子機器において、
前記ディスプレイはタッチパネルディスプレイであり、
前記フォーカス対象は、入力操作が実行される入力欄であり、
前記入力受付手段は、前記フォーカス対象に関する入力操作が実行される領域における前記入力操作を受け付けるとともに、前記タッチパネルディスプレイの外周沿いの所定の一部エリアであるタッチ領域内でのタッチ操作により、前記方向情報及び前記長さ情報の入力を受付ける電子機器。
【請求項３】
請求項２に記載の電子機器において、
前記入力受付手段は、前記タッチ領域でタッチ位置を第１の長さ分スライドさせる入力操作を受付けた場合、入力画面に表示される複数の前記入力欄の間の距離に対応する長さを表すように前記第１の長さを所定の倍率で拡張した第２の長さを、前記長さ情報の入力として受付ける電子機器。
【請求項４】
請求項３に記載の電子機器において、
前記入力受付手段は、前記タッチ領域でのタッチ面積の大きさに応じて、前記倍率を変更する電子機器。
【請求項５】
択一的にフォーカスをあてられる複数のフォーカス対象を含む入力画面をタッチパネルディスプレイに表示する表示手段と、
複数の前記フォーカス対象の中のいずれにフォーカスをあてるか決定するフォーカス位置決定手段と、
前記フォーカス対象に関する入力操作が実行される領域における前記入力操作を受け付けるとともに、前記タッチパネルディスプレイの外周沿いの所定の一部エリアであるタッチ領域内でのタッチ操作によりタッチ操作の方向を示す方向情報と、タッチ操作の長さを示す長さ情報との入力を受付ける入力受付手段と、を有し、
前記フォーカス対象は、入力操作が実行される入力欄であり、
前記フォーカス位置決定手段は、第１の前記フォーカス対象にフォーカスがあたっている状態で、前記入力受付手段が前記方向情報の入力を受付けると、前記方向情報及び前記長さ情報に基づいて、前記第１のフォーカス対象から他の前記フォーカス対象にフォーカス位置を変更する電子機器。
【請求項６】
請求項５に記載の電子機器において、
前記入力受付手段は、前記タッチ領域でタッチ位置を第１の長さ分スライドさせる入力操作を受付けた場合、入力画面に表示される複数の前記入力欄の間の距離に対応する長さを表すように前記第１の長さを所定の倍率で拡張した第２の長さを、前記長さ情報の入力として受付ける電子機器。
【請求項７】
請求項６に記載の電子機器において、
前記入力受付手段は、前記タッチ領域でのタッチ面積の大きさに応じて、前記倍率を変更する電子機器。
【請求項８】
請求項６又は請求項７に記載の電子機器において、
前記フォーカス位置決定手段は、第１の前記フォーカス対象にフォーカスがあたっている状態で、前記入力受付手段が前記方向情報及び前記長さ情報の入力を受付けると、前記方向情報及び前記長さ情報に基づいて、前記入力画面上において前記第１のフォーカス対象よりも前記方向情報で示される方向の先に位置する他の前記フォーカス対象の中の、前記第１のフォーカス対象からの距離が前記長さ情報で示される長さに最も近い前記他のフォーカス対象に、フォーカス位置を変更する電子機器。
【請求項９】
コンピュータが、
択一的にフォーカスをあてられる複数のフォーカス対象を含む入力画面をディスプレイに表示し、
前記入力画面における操作の方向を示す方向情報と、前記入力画面における操作の長さを示す長さ情報との入力を受付け、
第１の前記フォーカス対象にフォーカスがあたっている状態で、前記方向情報及び前記長さ情報の入力を受付けると、前記方向情報及び前記長さ情報に基づいて、前記入力画面上において前記第１のフォーカス対象よりも前記方向情報で示される方向の先に位置する他の前記フォーカス対象の中の、前記第１のフォーカス対象からの距離が前記長さ情報で示される長さに最も近い他の前記フォーカス対象にフォーカス位置を変更することにより、複数の前記フォーカス対象の中のいずれにフォーカスをあてるか決定する
電子機器の制御方法。
【請求項１０】
コンピュータを、
択一的にフォーカスをあてられる複数のフォーカス対象を含む入力画面をディスプレイ
に表示する表示手段、
複数の前記フォーカス対象の中のいずれにフォーカスをあてるか決定するフォーカス位
置決定手段、
前記入力画面における操作の方向を示す方向情報と、前記入力画面における操作の長さを示す長さ情報との入力を受付ける入力受付手段、
として機能させ、
前記フォーカス位置決定手段に、第１の前記フォーカス対象にフォーカスがあたっている状態で、前記入力受付手段が前記方向情報及び前記長さ情報の入力を受付けると、前記方向情報及び前記長さ情報に基づいて、前記入力画面上において前記第１のフォーカス対象よりも前記方向情報で示される方向の先に位置する他の前記フォーカス対象の中の、前記第１のフォーカス対象からの距離が前記長さ情報で示される長さに最も近い他の前記フォーカス対象にフォーカス位置を変更させるプログラム。
【国際調査報告】
2015040861.tif 000010
2015040861.tif 000011
2015040861.tif 000012
2015040861.tif 000013